(57)【要約】【課題】ポータブルオーディオ装置を接続されたオーディオ再生装置において、ポータブルオーディオ装置に記憶されている音楽ファイルの自動選曲のパターンを変更すること。【解決手段】マイコン１０２は、プリセットボタン１０１の「長押し」か「短押し」かを判断し、階層構造認識部１０４は、音楽ファイルのタグ情報に基づいて、各音楽ファイルの階層構造を認識し、外部機器制御部１０３は、音楽ファイルからタグ情報を抽出して階層構造認識部１０４に出力するとともに、プリセットボタン１０１が長押しされた場合にタグ情報の「再生回数」を加算して、合計再生回数に応じた階層構造をプリセットボタン１０１に割り当てる。【選択図】図２
2011209551.tif 000002
【特許請求の範囲】
【請求項１】
複数のプリセットボタンと、
音楽ファイルに含まれるタグ情報を用いて前記音楽ファイルの階層構造を認識する認識手段と、
前記階層構造に基づいて、前記複数のプリセットボタンのうち長押しされたプリセットボタンに対応する階層に属する複数のタグ情報に含まれる再生回数を合計して階層毎に合計再生回数を求めるとともに、前記合計再生回数に応じた階層構造を各プリセットボタンに割り当てる制御手段と、
を具備するオーディオ再生装置。
【請求項２】
前記制御手段は、前記複数のプリセットボタンのうち短押しされたプリセットボタンに対応する階層に属する音楽ファイルを再生する制御コマンドを生成する、
請求項１記載のオーディオ再生装置。
【請求項３】
オーディオ再生装置におけるプリセットボタン割当方法であって、
音楽ファイルに含まれるタグ情報を用いて前記音楽ファイルの階層構造を認識する認識ステップと、
前記階層構造に基づいて、複数のプリセットボタンのうち長押しされたプリセットボタンに対応する階層に属する複数のタグ情報に含まれる再生回数を合計して階層毎に合計再生回数を求めるとともに、前記合計再生回数に応じた階層構造を各プリセットボタンに割り当てる制御ステップと、
を具備するプリセットボタン割当方法。
【発明の詳細な説明】
【技術分野】
【０００１】
本発明は、オーディオ再生装置に関する。
【背景技術】
【０００２】
音楽情報（曲名、アーティスト名、アルバム名、曲のジャンル名、レート情報および再生回数等）を記憶している、ポータブルオーディオ装置（例えば、iPod（登録商標）等）、および、ＵＳＢまたはＣＤ−Ｒ等の記録メディアが接続されたオーディオ再生装置において、オーディオ再生装置のプリセットボタンの利用に関する様々な技術がある。
【０００３】
例えば、カーオーディオでは、ラジオ放送の電波を受信する際に、電波状況が良い周波数をあらかじめ各ボタンに登録しておき、ボタンを押下することにより、押下されたボタンに登録された特定の周波数に移動できる技術がある。
【０００４】
以下、特定の機能を特定のボタンに割り当てて登録することを「プリセット」、特定の機能を割り当てられたボタンを「プリセットボタン」という。
【０００５】
従来、ポータブルオーディオ装置を接続されたオーディオ再生装置において、ポータブルオーディオ装置内の音楽ファイルのタグ情報を利用して音楽を再生する技術がある。タグ情報は、図１に示すように、各音楽データに付随する情報であり、アーティスト名、曲名、アルバム名、ジャンル名、再生回数、登録日時、レート数、再生時間、プレイリスト名、作曲者名、および、最後の再生日時の各情報を含んでいる。ポータブルオーディオ装置を接続されたオーディオ再生装置は、タグ情報を認識することにより、音楽を分類して再生することができる。例えば、アーティストＡの音楽を再生したい場合、オーディオ再生装置は、タグ情報にアーティストＡが含まれると認識して、アーティストＡの音楽を再生することができる。
【０００６】
ここで、ポータブルオーディオ装置に記憶されている音楽ファイルが大量になってくると、ユーザが聞きたい音楽を選曲する際に、音楽ファイルの検索に手間を要するようになる。
【０００７】
そこで、従来、ポータブルオーディオ装置を接続されたオーディオ再生装置において、ポータブルオーディオ装置内の頻繁に利用する音楽ファイルまたは音楽ファイルのフォルダをプリセットしておく技術がある（特許文献１参照）。この技術では、ユーザによりプリセット操作が実行されると、ポータブルオーディオ装置内のそれまでに絞り込んだ音楽ファイルまたはフォルダがプリセットボタンに登録され、ユーザによりプリセット再生操作が実行されると、登録時に絞り込まれた音楽ファイルまたはフォルダが呼び出されて再生される。
【先行技術文献】
【特許文献】
【０００８】
【特許文献１】特開２００８−７１３９７号公報
【発明の概要】
【発明が解決しようとする課題】
【０００９】
しかしながら、上記のようにしてプリセットを行う従来技術では、時間が経過し、ユーザが頻繁に利用したい音楽ファイルまたはフォルダが変化した際に、再度プリセットをやり直す必要があり手間がかかる。
【００１０】
本発明は、かかる点に鑑みてなされたものであり、ポータブルオーディオ装置を接続されたオーディオ再生装置において、ポータブルオーディオ装置内のユーザが頻繁に利用する音楽ファイルまたはフォルダを自動で選出および登録することができるオーディオ再生装置を提供することである。
【課題を解決するための手段】
【００１１】
本発明のオーディオ再生装置は、複数のプリセットボタンと、音楽ファイルに含まれるタグ情報を用いて前記音楽ファイルの階層構造を認識する認識手段と、前記階層構造に基づいて、前記複数のプリセットボタンのうち長押しされたプリセットボタンに対応する階層に属する複数のタグ情報に含まれる再生回数を合計して階層毎に合計再生回数を求めるとともに、前記合計再生回数に応じた階層構造を各プリセットボタンに割り当てる制御手段と、を具備する。
【発明の効果】
【００１２】
本発明によれば、ポータブルオーディオ装置を接続されたオーディオ再生装置において、ポータブルオーディオ装置内のユーザが頻繁に利用する音楽ファイルまたはフォルダを自動で選出および登録することができる。
【図面の簡単な説明】
【００１３】
【図１】音楽ファイルの構成を示す図（従来）
【図２】本発明の実施の形態に係るオーディオ再生装置の構成を示す機能ブロック図
【図３】本発明の実施の形態に係るオーディオ再生装置のプリセットボタンの構成を示す概略図
【図４】本発明の実施の形態に係るオーディオ再生装置における階層構造情報を示す図
【図５】本発明の実施の形態に係るオーディオ再生装置における階層構造情報を示す図
【図６】本発明の実施の形態に係るオーディオ再生装置の動作を示すフロー図
【発明を実施するための形態】
【００１４】
以下、本発明の実施の形態に係るオーディオ再生装置について、図面を用いて説明する。
【００１５】
図２は、本発明の実施の形態に係るオーディオ再生装置１００の構成を示す機能ブロック図である。
【００１６】
図２に示すように、オーディオ再生装置１００には、ポータブルオーディオ装置３００を接続することが可能である。また、オーディオ再生装置１００には、スピーカ２００が接続される。
【００１７】
オーディオ再生装置１００は、例えばカーオーディオ装置であり、タグ情報を含む音楽ファイル（図１）をポータブルオーディオ装置３００から受信し、スピーカ２００に音楽信号を出力する。
【００１８】
一方、ポータブルオーディオ装置３００は、オーディオ再生装置１００の外部機器制御部１０３から送信された制御コマンドに応じて、タグ情報を含む音楽ファイル（図１）をオーディオ再生装置１００へ送信する。
【００１９】
オーディオ再生装置１００において、複数の各プリセットボタン１０１は、ユーザによって押下されたことを検出して、その旨をマイコン１０２に通知する。例えば、各プリセットボタン１０１は、ユーザに押下されている間はＨＩ信号を、押下されていないときはＬＯ信号をマイコン１０２に出力する。ユーザの押下時間によって、「長押し」と「短押し」とに区別される。マイコン１０２において、ＨＩ信号の継続受信時間が所定時間以上となる場合は「長押し」となり、ＨＩ信号の継続受信時間が所定時間未満の場合は「短押し」となる。また、例えばオーディオ再生装置１００が５つのプリセットボタンを備える場合、プリセットボタン１０１−１〜１０１−５はオーディオ再生装置１００の前面に図３に示すようにして配置される。
【００２０】
マイコン１０２は、プリセットボタン１０１からの信号を受信し、ＨＩ信号の継続受信時間に基づいて、「長押し」か「短押し」かを判断する。また、マイコン１０２は、複数のプリセットボタン１０１のうちどのプリセットボタンが押下されたかを、例えばプリセットボタンに対応付けられた番号（プリセットボタン番号）によって判断する。そして、マイコン１０２は、押下されたプリセットボタンを示す情報（プリセットボタン情報）と、「長押し」か「短押し」かを示す情報（押下時間情報）とを外部機器制御部１０３に出力する。
【００２１】
外部機器制御部１０３は、タグ情報を含む音楽ファイル（図１）をポータブルオーディオ装置３００から受信して、音声処理部１０７に出力する。また、外部機器制御部１０３は、音楽ファイルからタグ情報を抽出して階層構造認識部１０４に出力する。また、外部機器制御部１０３は、マイコン１０２から入力されたプリセットボタン情報および押下時間情報に応じて、ポータブルオーディオ装置３００に制御コマンドを送信するとともに、記憶部１０５からタグ情報を取得する。また、外部機器制御部１０３は、各プリセットボタン１０１毎に、タグ情報の「再生回数」を加算し、加算結果を記憶部１０５に格納する。
【００２２】
階層構造認識部１０４は、外部機器制御部１０３から入力されたタグ情報に基づいて、各音楽ファイルの階層構造（図４）を認識する。例えば、プレイリストＡの中の曲Ａの階層構造は、図４に示すように、ルートメニュー、プレイリスト、プレイリストＡ、曲Ａという順の階層構造となる。そして、階層構造認識部１０４は、その音楽ファイルがどの階層構造に属するかを示す情報（階層構造情報）を、図５に示すように、タグ情報に付加する。
【００２３】
例えば、アーティストＢ、アルバムＢ、ジャンルＢ、プレイリストＢ、作曲者情報なしのタグ情報があり、アルバムＢがアーティストＢの音楽で、ジャンルＢがアーティストＢの音楽であった場合、１つ目の階層構造情報は「ルートメニュー、プレイリスト、プレイリストＢ」、２つ目の階層構造情報は「ルートメニュー、アーティスト、アーティストＢ、アルバムＢ」、３つ目の階層構造情報は「ルートメニュー、アルバムＢ」、４つ目の階層構造情報は「ルートメニュー、ジャンル、ジャンルＢ、アーティストＢ」となる。よって、この場合は、４つの階層構造情報が１つのタグ情報に付加されることになる。
【００２４】
階層構造認識部１０４は、このような処理を、外部機器制御部１０３から入力されたすべてのタグ情報に対して行う。そして、階層構造認識部１０４は、階層構造情報付加後のタグ情報を記憶部１０５に格納する。
【００２５】
表示部１０６は、例えばＶＦＤ（蛍光表示管）、ＬＣＤ（液晶ディスプレイ）等で構成され、再生時間、曲名、アーティスト名等のオーディオ情報を表示する。
【００２６】
音声処理部１０７は、デジタルデータの音楽ファイルをアナログ信号に変換し、アナログ信号を増幅してスピーカ２００に出力する。
【００２７】
スピーカ２００は、増幅されたアナログ信号を音声として出力する。
【００２８】
ここで、各プリセットボタン１０１は、以下のように、長押しに対応する機能と、短押しに対応する機能の２つの機能を有する。
【００２９】
すなわち、プリセットボタン１０１が長押しされた場合には、外部機器制御部１０３が、再生回数の多い順に階層登録を行う。例えば、図４において、ルートメニュー、プレイリスト、プレイリストＡという階層の中に、再生回数２回の曲Ａ、再生回数３回の曲Ｂがあり、ルートメニュー、プレイリスト、プレイリストＢという階層の中に、再生回数４回の曲Ｃ、再生回数５回の曲Ｄがある場合、プレイリストＡの合計再生回数は５回、プレイリストＢの合計再生回数は９回となる。この場合の合計再生回数は、プレイリストＢの方がプレイリストＡよりも多いので、複数のプリセットボタン１０１にうち、プリセットボタン１にプレイリストＢ、プリセットボタン２にプレイリストＡが割り当てられて登録される。ここで、例えば、プリセットボタン１にはプレイリスト、プリセットボタン２にはアーティスト、プリセットボタン３にはアーティストの中のアーティストＡ、プリセットボタン４にはアーティストの中のアーティストＢ、プリセットボタン５にはアルバム、というように、各プリセットボタンにそれぞれ異なる階層を登録可能とする。
【００３０】
一方、プリセットボタン１０１が短押しされた場合には、外部機器制御部１０３が、長押しにて登録された階層に属する音楽ファイルを再生するための制御コマンドをポータブルオーディオ装置３００に送信する。例えば、プリセットボタン１が短押しされた場合は合計再生回数が１番多い階層、プリセットボタン２が短押しされた場合は合計再生回数が２番目に多い階層、プリセットボタン３が短押しされた場合は合計再生回数が３番目に多階層の各音楽ファイルが再生される。
【００３１】
次いで、以上のように構成されたオーディオ再生装置１００の動作を図６のフロー図を用いて説明する。
【００３２】
まず、ステップ（ＳＴ）４０１では、マイコン１０２が、プリセットボタンの押下時間と、どのプリセットボタンが押下されたかを検出する。
【００３３】
ＳＴ４０２では、マイコン１０２が、押下されたプリセットボタンが長押しされたか否かを判断する。
【００３４】
プリセットボタンが長押しされた場合（ＳＴ４０２：ＹＥＳ）、ＳＴ４０３では、外部機器制御部１０３が、ポータブルオーディオ３００装置からタグ情報を取得して階層構造認識部１０４に出力する。
【００３５】
ＳＴ４０４では、階層構造認識部１０４が、タグ情報に基づいて階層構造を認識し、階層構造情報をタグ情報に付加する。
【００３６】
ＳＴ４０５では、マイコン１０２が、プリセットボタン情報を外部機器制御部１０３に出力し、外部機器制御部１０３が、押下された押下されたプリセットボタンに対応するタグ情報を認識する。ここで、上記のように、例えば、プリセットボタン１にはプレイリスト、プリセットボタン２にはアーティスト、プリセットボタン３にはアーティストの中のアーティストＡ、プリセットボタン４にはアーティストの中のアーティストＢ、プリセットボタン５にはアルバム、というように、各プリセットボタンにそれぞれ異なる階層が登録されている。
【００３７】
ＳＴ４０６では、階層構造認識部１０４が、再生回数を加算する。階層構造認識部１０４は、長押しされたプリセットボタンに対応する階層に属する複数のタグ情報を記憶部１０５において検索し、それら複数のタグ情報に含まれる再生回数を合計し、階層構造情報とともに合計再生回数を記憶部１０５に記憶する。階層構造認識部１０４は、このような処理を、外部機器制御部１０３から入力されたすべてのタグ情報に対して行う。このとき、階層構造認識部１０４は、同じ階層構造情報があった場合に再生回数を加算する。
【００３８】
ＳＴ４０７では、外部機器制御部１０３が、再生回数が多い順に各プリセットボタンにコマンドを割り当てる。
【００３９】
外部機器制御部１０３は、まず、記憶部１０５に記録されている階層構造情報と合計再生回数を確認し、合計再生回数が最も多い音楽データを検索する。この確認は、押下されたプリセットボタンに対応する階層構造の音楽ファイルに対してなされる。次いで、外部機器制御部１０３は、「階層構造に移動して音が宇データを再生」なる制御コマンドを記憶部１０５に登録する。次いで、外部機器制御部１０３は、合計再生回数が２番目に多い音楽データを検索して、制御コマンドを登録する。外部機器制御部１０３は、このような処理をプリセットボタン数分繰り返す。
【００４０】
以上のような処理フローにより、プリセットボタン１がユーザによって長押しされると、例えばプレイリスト内の階層構造の中において、合計再生回数が最も多い階層構造がプリセットボタン１に、合計再生回数が２番目に多い階層構造をプリセットボタン２に、合計再生回数が３番目に多い階層構造をプリセットボタン３に、というように合計再生回数の順に階層構造が各プリセットボタンに割り当てられる。
【００４１】
一方、プリセットボタンが短押しされた場合（ＳＴ４０２：ＮＯ）、ＳＴ４０８では、外部機器制御部１０３が、登録されている制御コマンドを、ポータブルオーディオ装置３００に対して実行することにより、音楽データが再生される。
【００４２】
例えば上記の例のようにして階層構造の割当がなされたプリセットボタン１がユーザによって短押しされた場合、プレイリスト内の階層構造のうち合計再生回数が最も多いプリセット内の音楽データが再生され、次に、同一階層構造内の音楽データが再生される。また、プリセットボタン２がユーザによって短押しされた場合、合計再生回数が２番目に多いプレイリスト内の音楽データが再生され、次に、同一階層構造内の音楽データが再生される。
【００４３】
このように、本実施の形態では、プリセットボタンが長押しされた場合と短押しされた場合とで実行される機能を異ならせる。すなわち、プリセットボタンが長押しされた場合は、長押しされたプリセットボタンに対応する、図４に示す「プレイリスト」、「アーティスト」、「アルバム」、「ジャンル」、「作曲者」のいずれか一つが選択され、その選択されたものの中において合計再生回数が計算され、合計再生回数に応じて階層構造がプリセットボタンに割り当てられる。一方、プリセットボタンが短押しされた場合は、長押しにより行われたプリセットに従って、合計再生回数に応じて音楽データが再生される。
【００４４】
そして、以上のようにして各プリセットボタンへの割当を行うと、ポータブルオーディオ装置を接続されたオーディオ再生装置において、ポータブルオーディオ装置内のユーザが頻繁に利用する音楽ファイルまたはフォルダを自動で選出および登録することができる。これにより、ポータブルオーディオ装置に記憶されている、ユーザが頻繁に再生する音楽データをカーオーディオ装置等のオーディオ再生装置で再生する際のユーザの手間を少なくすることができる。
【産業上の利用可能性】
【００４５】
本発明は、ポータブルオーディオ装置を接続可能なすべてのオーディオ再生装置に適用することができる。
【符号の説明】
【００４６】
１００  オーディオ再生装置
１０１  プリセットボタン
１０２  マイコン
１０３  外部機器制御部
１０４  階層構造認識部
１０５  記憶部
１０６  表示部
１０７  音声処理部
【図１】
2011209551.tif 000003
【図２】
2011209551.tif 000004
【図３】
2011209551.tif 000005
【図４】
2011209551.tif 000006
【図５】
2011209551.tif 000007
【図６】
2011209551.tif 000008